(57)【要約】【課題】  マイナスイオンを大量に放出するイオライトを使用して、患部を温めて活性化させ、痛みなどの様々な症状を緩和、治癒することのできる患部近接繊維物を提供する。【解決手段】  少なくとも２層を有する綿状物４の薄層４ａ，４ａの間に、マイナスイオンを放出するイオライト３の細砕物と分布させてブロック７を形成し、該ブロック７を上下の繊維シート５の間に介在封入して全体としては扁平な柔軟直方体状懐炉２を構成し、該懐炉２を人体接触繊維物１中の適所に配置してある。マイナスイオンの温熱作用等によって患部を活性化し、腰痛などの諸症状を緩和および治癒する。【選択図】      図１
0003118594.tif 000002
【実用新案登録請求の範囲】
【請求項１】
少なくとも２層を有する綿状物（４）の薄層（４ａ，４ａ）の間に、マイナスイオンを放出するイオライト（３）の細砕物を分布させてブロック（７）を形成し、該ブロック（７）を上下の繊維シート（５ａ，５ｂ）を含む袋体（５）の間に介在封入して全体としては扁平な柔軟直方体状懐炉（２）を構成し、該懐炉（２）を人体接触繊維物（１）中の適所に配置したマイナスイオン放出患部近接繊維物。
【考案の詳細な説明】
【技術分野】
【０００１】
本考案は、大量のマイナスイオンを放出するイオライトを埋入した患部近接繊維物に関するものである。
【背景技術】
【０００２】
ブラジルやマダガスカル島で多く産出される鉱石のイオライトは、マイナスイオンを大量に放出する。このマイナスイオンは、それが持つ温熱作用によって腰痛や神経痛などの諸症状を緩和したり治癒する効能を発揮する。
【考案の開示】
【考案が解決しようとする課題】
【０００３】
本考案は、このマイナスイオンを大量に放出するイオライトを使用して、患部を温めて活性化させ、腰の痛みなどの様々な症状を緩和および治癒することのできる繊維物を提供することを課題とする。
【課題を解決するための手段】
【０００４】
図１および図２を参照して説明する。本考案に係るマイナスイオン放出患部近接繊維物１は、少なくとも２層を有する綿状物４の薄層４ａ，４ａの間に、マイナスイオンを放出するイオライト３の細砕物を分布させてブロック７を形成し、該ブロック７を上下の繊維シート５ａ，５ｂを含む袋体５の間に介在封入して全体としては扁平な柔軟直方体状懐炉２を構成し、該懐炉２を人体接触繊維物１中の適所に配置したものである。
【考案の効果】
【０００５】
本考案に係るマイナスイオン放出患部近接繊維物１は、マイナスイオンを大量に放出するイオライト３を綿状物４中に介在させて懐炉２を形成し、その懐炉２を、患部近接繊維物１中に配置したので、繊維物１に近接する腰痛や神経痛などの諸症状を緩和および治癒することができる。
【０００６】
すなわち、繊維物１の患部が当たる部分にイオライト３を埋入しているので、当該イオライト３が放出するマイナスイオンの持つ温熱作用によって、患部および全身を温めて活性化する。これによって、神経痛，腰痛，さらには便秘などのあらゆる症状を緩和したり治癒することができる。
【０００７】
特に、懐炉２は、繊維物１の患部当たる部分に埋入しているので、マイナスイオンが患部に効果的に作用して当該腰部の血行を良くする。これによって、腰痛，神経痛，便秘などの緩和および治癒にきわめて効果的に作用する。
【０００８】
なお、イオライト３は鉱石であり硬い物質であるが、それを細かく砕き、さらに、綿状物４で包み込んで懐炉２としているので、繊維物１に近接する者に当該イオライト３が当たって痛みを感じるといった問題は発生しない。
【考案を実施するための最良の形態】
【０００９】
本考案に係るマイナスイオン放患部近接繊維物として敷布団に実施した一例を、図１および図２に示す。これは、マイナスイオンを大量に放出するイオライト３を細かく砕き、その砕いたイオライト３をポリエステル繊維製綿状物４の薄層４ａ，４ａ中に挟み、二つ折りにして繊維シート５ａ，５ｂを袋体５の間に介在して扁平な柔軟直方体状懐炉２を形成している。そして、その懐炉２を、複数、敷布団よりなる繊維物１の腰が当たる部分に埋入している。
【００１０】
この繊維物１は、その腰が当たる部分にイオライト３を埋入しているので、当該イオライト３が放出するマイナスイオンの持つ温熱作用によって、その者の腰部および全身を温めて活性化する。これによって、例えば、神経痛や腰痛、肩こりなどの諸症状を緩和および治癒することができる。イオライト３は、マイナスイオンを大量に放出する物質であるので、諸症状の緩和および治癒にきわめて効果的である。
【００１１】
なお、本実施形態では、イオライト３をポリエステル繊維製の綿面中に挟み込んでいるが、このポリエステル繊維は、丈夫で皺になり難く、吸湿性が少ないため乾燥が速く、さらに、耐光性に強く、虫やカビが発生しないという多くの利点を有する。従って、耐久性に優れる懐炉２を形成することができ、イオライト３の作用を長期にわたって発揮させることができる。
【００１２】
また、懐炉２を繊維物１の腰が当たる部分１ａに埋入しているので、マイナスイオンが特に腰部に作用して当該腰部の血行を良くし、腰痛や神経痛さらには便秘などの諸症状を改善することができる。
【００１３】
また、イオライト３が放出するマイナスイオンは消臭効果も発揮するので、汗などによる敷布団１の不快な臭いを消すことができる。
【００１４】
なお、イオライト３は鉱石であり硬いが、それを細かく砕き、さらに、ポリエステル製繊維製の綿状物４中に挟み、さらに繊維シート製袋５に入れて懐炉２としているので、敷布団８の上で就寝する者が、このイオライト３が当たって痛みを感じることはない。
【００１５】
本実施形態では、粉砕イオライト３をポリエステル繊維製綿面中に挟んでいるが、他種の繊維に挟み込むこともできる。また、二つ折りに限定されない。
【産業上の利用可能性】
【００１６】
本考案は敷布団のほか、図３・図４に示す如く座布団８，９、図５に示す如くアイマスク１０、図６，図７に示す如く腰バンド、更には羽根枕（図示省略）にも実施出来る。
【図面の簡単な説明】
【００１７】
【図１】患部近接繊維物に埋入される懐炉を示す断面図であり、（ａ）は粉砕したイオライトを綿状物で包み込んだ状態、（ｂ）はそれを繊維シート内に封入した状態を示す。
【図２】本考案を敷布団に適用した実施形態を示す一部透視斜視図である。
【図３】本考案を座布団に適用した一実施形態を示す一部透視平面図である。
【図４】本考案を座布団に適用した別な実施形態を示す一部透視平面図である。
【図５】本考案をアイマスクに適用した実施形態を示す斜視図である。
【図６】本考案を腰バンドに適用した実施形態を示す斜視図である。
【図７】図６の着用状態図である。
【符号の説明】
【００１８】
１          人体接触繊維物
２          懐炉
３          イオライト
４          綿状物
４ａ        綿状物の層
５          袋
５ａ，５ｂ    繊維シート
７          ブロック
８          敷布団
９          座布団
１０        アイマスク
１１        腰バンド
【図１】
0003118594.tif 000003
【図２】
0003118594.tif 000004
【図３】
0003118594.tif 000005
【図４】
0003118594.tif 000006
【図５】
0003118594.tif 000007
【図６】
0003118594.tif 000008
【図７】
0003118594.tif 000009